(57)【要約】【課題】  従来の変換ソケットは、天井面に設けられたダウンライト内の水平方向に向いた小さな口金のソケットにランプが装着されている場合に、大きな口金のランプに取り替える際、変換ソケットの長さやランプ自体の大きさによって口金が大きいランプを取り付けることができない。【解決手段】  口金２ｂから構成される取付部２とソケット４ｂから構成される光源装着部４との間の距離、および取付部２に対する光源装着部４の相対角度は、取付部２および光源装着部４を連結する連結部３を伸縮したり、曲げることによって自在に調節される。このため、光源装着部４に装着されているランプの、天井面などに対する水平方向の照明位置や垂直方向の照明高さを所望の位置に調節することにより、天井面に設けられたダウンライトに口金が大きいランプを取り付けることができる。【選択図】  図１
2011108383.tif 000002
【特許請求の範囲】
【請求項１】
ソケットにねじ部が螺合してもしくはピンが差し込まれて電気的に接続される口金、または引掛シーリングもしくは引掛ローゼットに形成された刃受に嵌合して電気的に接続される栓刃を有するアダプタから構成される取付部と、
前記取付部の前記口金または前記アダプタに電気的に接続されるソケットから構成される光源装着部と、
前記取付部および前記光源装着部間の距離並びに前記取付部に対する前記光源装着部の相対角度を調節自在に前記取付部および前記光源装着部を連結する連結部と
を備える変換アタッチメント。
【請求項２】
前記光源装着部の前記ソケットは前記取付部の前記口金と口金規格が異なることを特徴とする請求項１に記載の変換アタッチメント。
【請求項３】
前記連結部は、伸縮および曲げ自在な蛇腹状部材から成ることを特徴とする請求項１または請求項２に記載の変換アタッチメント。
【請求項４】
前記連結部は、口径が順次異なって繰り出し自在に設けられた複数の中空円筒部材と、前記中空円筒部材を前記取付部または前記光源装着部に回動自在に連結する回動部とから構成されることを特徴とする請求項１または請求項２に記載の変換アタッチメント。
【請求項５】
前記連結部は、口径が順次異なって繰り出し自在に設けられた第１の複数の中空円筒部材群と、口径が順次異なって繰り出し自在に設けられた第２の複数の中空円筒部材群と、前記第１の複数の中空円筒部材群および前記第２の複数の中空円筒部材群相互を回動自在に連結する回動部とから構成されることを特徴とする請求項１または請求項２に記載の変換アタッチメント。
【発明の詳細な説明】
【技術分野】
【０００１】
本発明は、一端がソケットまたは引掛シーリングもしくは引掛ローゼットに取り付けられ、他端に電球等の光源が装着される変換アタッチメントに関する。
【背景技術】
【０００２】
従来、この種の変換アタッチメントとしては、例えば、特許文献１に開示された変換ソケットがある。この変換ソケットは、略円柱状の胴体の一端側に小径のソケットと係合する口金部、他端側に大径の口金と係合するソケット部が設けられている。このため、この変換ソケットを用いて、小さい口金のソケットに口金が大きい電球型蛍光ランプを取り付けることができる。これにより、変換ソケットを介して、口金が大きい電球型蛍光ランプを使用することが可能となり、消費電力の低減化およびランプ寿命の長期化を図ることができる。
【先行技術文献】
【特許文献】
【０００３】
【特許文献１】特開平１０−８３７１２号公報
【発明の概要】
【発明が解決しようとする課題】
【０００４】
しかしながら、上記従来の変換ソケットは、天井面に設けられたダウンライトなどの凹部内において、差し込み方向が天井面と水平な方向に設けられた小さな口金のソケットにランプが装着されている場合などに、大きな口金のランプに取り替えようとすると、変換ソケットの長さやランプ自体の大きさによってダウンライトなどの凹部内に口金が大きい電球型蛍光ランプなどを取り付けることができない。このため、このような場合、上記従来の変換ソケットを用いて口金が大きい電球型蛍光ランプに交換することで、消費電力の低減化およびランプ寿命の長期化を図ることはできなかった。
【課題を解決するための手段】
【０００５】
本発明はこのような課題を解決するためになされたもので、
ソケットにねじ部が螺合してもしくはピンが差し込まれて電気的に接続される口金、または引掛シーリングもしくは引掛ローゼットに形成された刃受に嵌合して電気的に接続される栓刃を有するアダプタから構成される取付部と、
取付部の口金またはアダプタに電気的に接続されるソケットから構成される光源装着部と、
取付部および光源装着部間の距離並びに取付部に対する光源装着部の相対角度を調節自在に取付部および光源装着部を連結する連結部と
を備えて、変換アタッチメントを構成した。
【０００６】
本構成によれば、口金またはアダプタから構成される取付部とこれら口金またはアダプタに電気的に接続されるソケットから構成される光源装着部との間の距離、および取付部に対する光源装着部の相対角度は、取付部および光源装着部を連結する連結部によって自在に調節される。このため、取付部および光源装着部間の距離、並びに取付部に対する光源装着部の相対角度を連結部によって調節することにより、光源装着部に装着されている光源の、天井面などに対する水平方向の照明位置、または垂直方向の照明高さを所望の位置に調節できる。この結果、例えば、天井面に設けられたダウンライトなどの凹部内において、差し込み方向が天井面と水平な方向に設けられた小さな口金のソケットにランプが装着されている場合などに、この小さな口金のソケットからランプを外して大きな口金のランプに取り替えるに際して、取付部および光源装着部間の距離並びに取付部に対する光源装着部の相対角度を連結部によって調節することで、光源装着部の差し込み方向を天井面などに垂直な方向や垂直に近い方向に向けることが可能になり、向きを変えたこの光源装着部に大きな口金のランプを装着することで、大きな口金のランプがダウンライトなどに取り付けられなくなる不都合も生じず、大きな口金のランプの使用が可能となる。
【０００７】
また、本発明は、光源装着部のソケットが取付部の口金と口金規格が異なることを特徴とする。
【０００８】
本構成によれば、光源装着部のソケットと取付部の口金との口金規格が異なるため、ソケットまたは引掛シーリングもしくは引掛ローゼットに接続されている所望しない光源を取り外し、代わりに変換アタッチメントの取付部を取り付けて、変換アタッチメントの光源装着部に新たな光源を装着することにより、口金規格が異なる所望の光源に変更できる。このため、口金の小さな例えばクリプトン電球やスポット電球を取り外して、変換アタッチメントを介して、口金の大きな例えば電球型蛍光灯やＬＥＤ（発光ダイオード）電球を取り付けることで、光源の消費電力が低減され、光源の寿命が伸びる。
【０００９】
また、本発明は、連結部が、伸縮および曲げ自在な蛇腹状部材から成ることを特徴とする。
【００１０】
本構成によれば、蛇腹状部材から成る連結部を所望の形状に伸縮したり曲げることにより、変換アタッチメントの光源装着部に装着されている光源の、天井面などに対する水平方向の照明位置、および垂直方向の照明高さを所望の位置に調節できる。また、連結部を蛇腹状部材から構成することで、連結部の構造を伸縮および曲げ自在にするために複雑な構造にする必要もなく、伸縮および曲げ自在な連結部を備えた変換アタッチメントを安価に提供できる。
【００１１】
また、本発明は、連結部が、口径が順次異なって繰り出し自在に設けられた複数の中空円筒部材と、中空円筒部材を取付部または光源装着部に回動自在に連結する回動部とから構成されることを特徴とする。
【００１２】
本構成によれば、口径が順次異なって繰り出し自在に設けられた複数の中空円筒部材を所望の長さに伸縮し、回動部により、中空円筒部材を取付部または光源装着部に対して回動させることで、変換アタッチメントの光源装着部に装着されている光源の、天井面などに対する水平方向の照明位置、および垂直方向の照明高さを所望の位置に調節できる。また、複数の中空円筒部材を縮めることで連結部をコンパクトにすることができ、物理的なスペースがあまりない場所でも、この連結部を備えた変換アタッチメントを介して光源を装着することができる。
【００１３】
また、本発明は、連結部が、口径が順次異なって繰り出し自在に設けられた第１の複数の中空円筒部材群と、口径が順次異なって繰り出し自在に設けられた第２の複数の中空円筒部材群と、第１の複数の中空円筒部材群および第２の複数の中空円筒部材群相互を回動自在に連結する回動部とから構成されることを特徴とする。
【００１４】
本構成によれば、口径が順次異なって繰り出し自在に設けられた第１の複数の中空円筒部材群および第２の複数の中空円筒部材群をそれぞれ所望の長さに伸縮し、回動部により、第１の複数の中空円筒部材群および第２の複数の中空円筒部材群相互を回動させることで、変換アタッチメントの光源装着部に装着されている光源の、天井面などに対する水平方向の照明位置、および垂直方向の照明高さを所望の位置に調節できる。
【発明の効果】
【００１５】
本発明による変換アタッチメントによれば、上記のように、大きな口金のランプがダウンライトなどの凹部内に収められなくなる不都合も生じず、大きな口金のランプの使用が可能となる。このため、口金の小さな例えばクリプトン電球やスポット電球を取り外して、変換アタッチメントを介して、口金の大きな例えば電球型蛍光灯やＬＥＤ電球を取り付けることで、光源の消費電力が低減され、光源の寿命が伸びる。
【図面の簡単な説明】
【００１６】
【図１】（ａ）は、本発明の第１の実施の形態による変換アタッチメントの側面図、（ｂ）はその縦断面図である。
【図２】図１に示す変換アタッチメントを縮めた場合の側面図である。
【図３】図１に示す変換アタッチメントを折り曲げた場合の側面図である。
【図４】図１に示す変換アタッチメントの連結部の根元部分を折り曲げた場合の側面図である。
【図５】図１に示す変換アタッチメントの連結部の先端部分を折り曲げた場合の側面図である。
【図６】（ａ）は、本発明の第２の実施の形態による変換アタッチメントの側面図、（ｂ）はその正面図、（ｃ）はその縦断面図である。
【図７】（ａ）は、図６に示す変換アタッチメントの連結部を縮めて光源装着部を下向きに直角に回動させた場合の側面図、（ｂ）はその正面図である。
【図８】（ａ）は、図６に示す変換アタッチメントの連結部を縮めて光源装着部を上向きに直角に回動させた場合の側面図、（ｂ）はその正面図である。
【図９】（ａ）は、図８に示す状態の変換アタッチメントの光源装着部を回動部によって反時計回りに回転させた場合の正面図、同図（ｂ）は図７に示す状態の光源装着部を回動部によって反時計回りに回転させた場合の正面図である。
【発明を実施するための形態】
【００１７】
次に、本発明による変換アタッチメントの第１の実施の形態について説明する。
【００１８】
図１（ａ）は、この第１の実施の形態による変換アタッチメント１の側面図、同図（ｂ）はその縦断面図である。
【００１９】
変換アタッチメント１は、同図（ａ）に示すように、取付部２、連結部３、および光源装着部４から構成される。
【００２０】
取付部２は、同図（ｂ）に示すように、径が２段に大きくなる中空円筒状の口金アタッチメント２ａ、中空円筒状の口金２ｂ、および口金２ｂの先端に設けられた給電金具２ｃから構成される。口金２ｂは、銅から成り、不図示のソケットの雌ねじ部に雄ねじ部が螺合してソケットに電気的に接続される。口金２ｂ、口金アタッチメント２ａ、および連結部３の内側の各中空部にはビニル絶縁電線５ａ、５ｂが２本通されており、取付部２と光源装着部４とはこのビニル絶縁電線５ａ、５ｂを介して電気的に接続されている。ビニル絶縁電線５は、連結部３が伸縮されたり曲げられても、対応できるように、伸縮自在で曲げ可能な難燃性のカールコードから構成される。
【００２１】
口金２ｂおよび口金アタッチメント２ａの当接する各側面はハトメ２ｄによって２ヶ所で互いに固定されており、この固定部のこれらの各側面にはビニル絶縁電線５ａを通すための穴が開口している。また、口金アタッチメント２ａは、不燃性の樹脂材料から成り、口金アタッチメント２ａおよび連結部３の当接する各側面は、ハトメ２ｅによって２ヶ所で互いに固定されており、この固定部のこれら各側面には、ビニル絶縁電線５を通すための穴が開口している。ビニル絶縁電線５ａの一端は、給電金具２ｃと半田付けで接合されており、口金２ｂと電気的に絶縁分離された給電金具２ｃと電気的に接続されている。また、ビニル絶縁電線５ｂの一端は、口金アタッチメント２ａおよび口金２ｂを固定する一方のハトメ２ｄと半田付けで接合されており、口金２ｂの雄ねじ部を構成する外周面と電気的に接続されている。
【００２２】
連結部３は、伸縮および曲げ自在な中空状の、形状を記憶する不燃性の樹脂材料から成る蛇腹状部材で構成されており、取付部２および光源装着部４間の距離、並びに取付部２に対する光源装着部４の相対角度を調節自在に、取付部２および光源装着部４を連結する。これらの距離および相対角度は、蛇腹状部材が形状を記憶する材質から成るため、一度調節されると保持される。
【００２３】
光源装着部４は、電気絶縁性を有する樹脂材料から成る中空円筒状の口金アタッチメント４ａと、口金アタッチメント４ａに周囲が覆われて設けられた、口金アタッチメント４ａの内径よりも外径が小さい中空円筒状のソケット４ｂとから構成される。連結部３および口金アタッチメント４ａの当接する各側面、並びに口金アタッチメント４ａおよびソケット４ｂの当接する各底面は、ハトメ４ｄによって２ヶ所で互いに固定されている。ソケット４ｂの内部の底面中央には、接片４ｃが設けられている。この接片４ｃは、銅から成る板状の導体から成り、ソケット４ｂの雌ねじ部が形成された内周面と電気的に絶縁分離されて、一端がソケット４ｂの底面においてバネ性を持って浮き上がり、他端が口金アタッチメント４ａの底部を貫通してビニル絶縁電線５ａの他端に半田付けされている。また、一方のハトメ４ｄは、ビニル絶縁電線５ｂの他端と半田付けで接合されており、ソケット４ｂの雌ねじ部が形成された内周面と電気的に接続されている。本実施形態では、取付部２の口金２ｂの口金規格はＥ１７、光源装着部４のソケット４ｂの口金規格はＥ２６で、光源装着部４のソケット４ｂは取付部２の口金２ｂと口金規格が異なる。
【００２４】
図２は、連結部３を縮めた場合の、変換アタッチメント１の側面図である。なお、同図において図１と同一または相当する部分には同一符号を付してその説明は省略する。同図に示すように、蛇腹状部材から成る連結部３を連結部３の円筒軸方向に圧縮することにより、取付部２および光源装着部４間の距離を縮めることができる。
【００２５】
図３は、連結部３を曲げた場合の、変換アタッチメント１の側面図である。なお、同図において図１と同一または相当する部分には同一符号を付してその説明は省略する。同図（ａ）に示すように、連結部３を光源装着部４が下を向くように折り曲げることにより、光源装着部４の取付部２に対する相対角度を調節することができる。また、同図（ｂ）に示すように、曲げられた同図（ａ）に示す光源装着部４の取付部２に対する相対角度をそのままで、全体的に連結部３を伸ばすことにより、さらに取付部２および光源装着部４間の距離を伸ばすことができる。
【００２６】
図４は、連結部３の根元部分を折り曲げた場合の、変換アタッチメント１の側面図である。なお、同図において図１と同一または相当する部分には同一符号を付してその説明は省略する。同図（ａ）に示すように、連結部３の根元部分、つまり、連結部３の取付部２付近の部分のみを光源装着部４が下を向くように折り曲げることによっても、光源装着部４の取付部２に対する相対角度を調節することができる。また、同図（ｂ）に示すように、同図（ａ）に示す連結部３の光源装着部４付近の部分を上下方向に伸縮することにより、さらに光源装着部４の上下方向の位置、つまり、垂直方向の照明高さを調節することができる。
【００２７】
図５は、連結部３の先端部分を折り曲げた場合の、変換アタッチメント１の側面図である。なお、同図において図１と同一または相当する部分には同一符号を付してその説明は省略する。同図（ａ）に示すように、連結部３の先端部分、つまり、連結部３の光源装着部４付近の部分のみを光源装着部４が下を向くように折り曲げることによっても、光源装着部４の取付部２に対する相対角度を調節することができる。また、同図（ｂ）に示すように、同図（ａ）に示す連結部３の取付部２付近の部分を左右方向に伸縮することにより
、光源装着部４の左右方向の位置、つまり、水平方向の照明位置を調節することができる。
【００２８】
このような本実施形態による変換アタッチメント１によれば、口金２ｂから構成される取付部２とソケット４ｂから構成される光源装着部４との間の距離、および取付部２に対する光源装着部４の相対角度は、図３で説明したように、取付部２および光源装着部４を連結する連結部３によって自在に調節される。このため、取付部２および光源装着部４間の距離、並びに取付部２に対する光源装着部４の相対角度を連結部３によって図５に示すように調節することにより、光源装着部４に装着されているランプの、天井面などに対する水平方向の照明位置を所望の位置に調節できる。また、取付部２および光源装着部４間の距離、並びに取付部２に対する光源装着部４の相対角度を連結部３によって図４に示すように調節することにより、光源装着部４に装着されているランプの、天井面などに対する垂直方向の照明高さを所望の位置に調節できる。この結果、例えば、天井面に設けられたダウンライトなどの凹部内において、差し込み方向が天井面と水平な方向に設けられた小さな口金のソケットにランプが装着されている場合などに、この小さな口金のソケットからランプを外して大きな口金のランプに取り替えるに際して、取付部２および光源装着部４間の距離並びに取付部２に対する光源装着部４の相対角度を連結部３によって図４に示すように調節することで、光源装着部４の差し込み方向を天井面などに垂直な同図に示す方向や垂直に近い方向に向けることが可能になり、向きを変えたこの光源装着部４に大きな口金のランプを装着することで、大きな口金のランプがダウンライトなどに取り付けられなくなる不都合も生じず、大きな口金のランプの使用が可能となる。
【００２９】
また、例えば、部屋の特定の場所を照明したい場合、連結部３を図５に示すように水平方向に伸縮して光源装着部４の水平位置を調節することで、水平方向の照明位置を変えることができ、また、細かい作業をするために作業者の目の前を明るくしたい場合、連結部３を図４に示すように垂直方向に伸縮して光源装着部４の垂直位置を調節することで、照明高さを調節することが可能となり、利便性が向上する。また、使用者の好みに合わせて所望の形状に連結部３を伸縮して曲げることができるため、本変換アタッチメント１を用いた照明器具に使用者の好みに合った美観を持たせることができる。
【００３０】
また、本実施形態による変換アタッチメント１によれば、光源装着部４のソケット４ｂと取付部２の口金２ｂとの口金規格が異なるため、不図示のソケットに接続されている所望しない光源を取り外し、代わりに変換アタッチメント１の取付部２を不図示のソケットに取り付けて、変換アタッチメント１の光源装着部４に新たなランプを装着することにより、口金規格が異なる所望のランプに変更できる。このため、口金の小さな例えば口金規格Ｅ１７のクリプトン電球やスポット電球を取り外して、変換アタッチメント１を介して、口金の大きな例えば口金規格Ｅ２６の電球型蛍光灯やＬＥＤ電球を取り付けることで、ランプの消費電力が低減され、ランプの寿命が伸びる。
【００３１】
また、本実施形態による変換アタッチメント１によれば、蛇腹状部材から成る連結部３を所望の形状に伸縮したり曲げることにより、変換アタッチメント１の光源装着部４に装着されているランプの、天井面などに対する水平方向の照明位置、および垂直方向の照明高さを所望の位置に調節できるので、連結部３の構造を伸縮および曲げ自在にするために複雑な構造にする必要もなく、伸縮および曲げ自在な連結部３を備えた変換アタッチメント１を安価に提供できる。
【００３２】
図６（ａ）は、本発明の第２の実施の形態による変換アタッチメント１１の側面図、同図（ｂ）はその正面図、同図（ｃ）はそのｃ−ｃ線破断縦断面図である。なお、同図において図１と同一または相当する部分には同一符号を付してその説明は省略する。
【００３３】
変換アタッチメント１は、同図（ａ）に示すように、取付部２、連結部１３、および光源装着部４から構成される。この第２の実施の形態による変換アタッチメント１１は、取付部２および光源装着部４の構造が上述した第１の実施形態による変換アタッチメント１のものと同様であるが、連結部１３の構造が変換アタッチメント１の蛇腹状をした連結部３のものと異なる点においてのみ、変換アタッチメント１と相違する。すなわち、連結部１３は、口径が順次異なって繰り出し自在に設けられた複数の中空円筒部材１３ａと、中空円筒部材１３ａを光源装着部４に回動自在に連結する回動部１３ｂとから構成される。連結部１３は、中空円筒部材１３ａを伸縮させることで、連結部１３の円筒軸方向に自在に伸縮させることができる。また、回動部１３ｂは、光源装着部４の口金アタッチメント４ａの根元部を対向する２ヶ所でピン１３ｃによって回動自在に軸支している。このため、光源装着部４は、ピン１３ｃを中心に図の上下方向に約１８０°回動する。また、回動部１３ｂは図の右端の中空円筒部材１３ａに対して約３６０°回転する。ただし、右端の中空円筒部材１３ａの内周と回動部１３ｂの外周との間には、不図示のノッチが設けられており、光源装着部４が３６０度以上回らないように構成されている。この構成により、光源装着部４が３６０度以上回転して、ビニル絶縁電線５がよじれて切れるのが防止されている。
【００３４】
図７（ａ）は、連結部１３の中空円筒部材１３ａを縮めて光源装着部４を下向きに直角に回動させた場合の、変換アタッチメント１１の側面図、同図（ｂ）はその正面図である。なお、同図において図６と同一または相当する部分には同一符号を付してその説明は省略する。同図に示すように、連結部１３の長さを圧縮し、光源装着部４を下向きに回動させることにより、取付部２および光源装着部４間の距離を縮め、また、光源装着部４の取付部２に対する相対角度を調節することができる。
【００３５】
図８（ａ）は、連結部１３の中空円筒部材１３ａを縮めて、光源装着部４を上向きに直角に回動させた場合の、変換アタッチメント１１の側面図、同図（ｂ）はその正面図である。なお、同図において図６と同一または相当する部分には同一符号を付してその説明は省略する。同図に示すように、連結部１３の長さを圧縮し、光源装着部４を上向きに回動させることによっても、取付部２および光源装着部４間の距離を縮め、また、光源装着部４の取付部２に対する相対角度を調節することができる。
【００３６】
図９（ａ）は、図８に示す状態の変換アタッチメント１１の光源装着部４を回動部１３ｂによって反時計回りに回転させた場合の、変換アタッチメント１１の正面図、同図（ｂ）は図７に示す状態の光源装着部４を回動部１３ｂによって反時計回りに回転させた場合の、変換アタッチメント１１の正面図である。なお、同図において図６と同一または相当する部分には同一符号を付してその説明は省略する。光源装着部４は、同図（ａ）に示すように上向きに直角に回動させた状態や同図（ｂ）に示すように下向きに直角に回動させた状態などの、所望の向きに回転させることができる。
【００３７】
このような本実施形態による変換アタッチメント１１によれば、口径が順次異なって繰り出し自在に設けられた複数の中空円筒部材１３ａを所望の長さに伸縮し、回動部１３ｂにより、中空円筒部材１３ａを取付部２または光源装着部４に対して回動させることで、変換アタッチメント１１の光源装着部４に装着されているランプの、天井面などに対する水平方向の照明位置、および垂直方向の照明高さを所望の位置に調節できる。このため、本実施形態による変換アタッチメント１１によっても、上述した第１の実施形態による変換アタッチメント１と同様な作用効果が奏される。この結果、例えば、天井面に設けられたダウンライトなどの凹部内において、差し込み方向が天井面と水平な方向に設けられた小さな口金のソケットにランプが装着されている場合などに、この小さな口金のソケットからランプを外して大きな口金のランプに取り替えるに際して、取付部２および光源装着部４間の距離並びに取付部２に対する光源装着部４の相対角度を連結部１３によって図７に示すように調節することで、光源装着部４の差し込み方向を天井面などに垂直な同図に示す方向や垂直に近い方向に向けることが可能になり、向きを変えたこの光源装着部４に大きな口金のランプを装着することで、大きな口金のランプがダウンライトなどに取り付けられなくなる不都合も生じず、大きな口金のランプの使用が可能となる。また、本実施形態による変換アタッチメント１１によれば、複数の中空円筒部材１３ａを図７および図８に示すように縮めることで連結部１３をコンパクトにすることができ、物理的なスペースがあまりない場所でも、この連結部１３を備えた変換アタッチメント１１を介してランプを装着することができる。
【００３８】
なお、上述した第２の実施形態では、連結部１３の中空円筒部材１３ａが取付部２と連結され、回動部１３ｂが光源装着部４と連結される構造であったが、連結部１３の中空円筒部材１３ａが光源装着部４と連結され、回動部１３ｂが取付部２と連結される構造であってもよい。
【００３９】
また、上述した第２の実施形態では、連結部１３が、複数の中空円筒部材１３ａと回動部１３ｂとから構成されていたが、連結部１３は、取付部２が設けられた側から口径が順次小さくなって繰り出し自在に設けられた第１の複数の中空円筒部材群と、光源装着部４が設けられた側に向かって口径が順次大きくなって繰り出し自在に設けられた第２の複数の中空円筒部材群と、第１の複数の中空円筒部材群および第２の複数の中空円筒部材群相互を回動自在に連結する回動部とから構成されてもよい。この構成によれば、第１の複数の中空円筒部材群および第２の複数の中空円筒部材群をそれぞれ所望の長さに伸縮し、回動部により、第１の複数の中空円筒部材群および第２の複数の中空円筒部材群相互を回動させることで、変換アタッチメントの光源装着部４に装着されているランプの、天井面などに対する水平方向の照明位置、および垂直方向の照明高さを所望の位置に調節できる。
【００４０】
また、上述した第１、第２の実施形態では、取付部２の口金２ｂの口金規格がＥ１７、光源装着部４のソケット４ｂの口金規格がＥ２６であったが、口金２ｂおよびソケット４ｂの各口金規格はこれらに限られず、他の口金規格、例えば、ソケット４ｂの口金規格がＥ３６などであってもよい。また、上述した第１、第２の実施形態では、取付部２の口金２ｂの口金規格が小さく、光源装着部４のソケット４ｂの口金規格が大きい構成であったが、取付部２の口金２ｂの口金規格が大きく、光源装着部４のソケット４ｂの口金規格が小さい構成であってもよい。
【００４１】
また、上述した第１、第２の実施形態では、光源装着部４のソケット４ｂが取付部２の口金２ｂと口金規格が異なっていたが、ソケット４ｂは口金２ｂと口金規格が同じであってもよい。この構成では、口金規格が異なるランプに交換することはできないが、変換アタッチメント１、１１の光源装着部４に装着されているランプの、天井面などに対する水平方向の照明位置、および垂直方向の照明高さを所望の位置に調節できる。
【００４２】
また、上述した第１、第２の実施形態では、取付部２は、ソケットにねじ部が螺合してソケットに電気的に接続される口金２ｂから構成されていたが、例えば、コンパクト形蛍光管等に用いられている、ピンが差し込まれて電気的に接続される口金から構成されてもよい。また、取付部２は、引掛シーリングもしくは引掛ローゼットに形成された刃受に嵌合して電気的に接続される栓刃を有するアダプタから構成されてもよい。
【００４３】
これらの各構成によっても、上述した各実施形態と同様な作用効果が奏される。
【産業上の利用可能性】
【００４４】
上記各実施形態においては、口金の小さな例えば口金規格Ｅ１７のクリプトン電球やスポット電球を取り外して、変換アタッチメント１、１１を介して、口金の大きな例えば口金規格Ｅ２６の電球型蛍光灯やＬＥＤ電球を取り付ける場合について説明したが、口金の小さな例えば口金規格Ｅ１７のクリプトン電球やスポット電球を取り外して、変換アタッチメント１、１１を介して、上記のクリプトン電球やスポット電球と口金規格が異なるまたは同じクリプトン電球やスポット電球を取り付けるようにしてもよい。また、白熱電球を取り外して、変換アタッチメント１、１１を介して、取り外した白熱電球と口金規格が異なるまたは同じ白熱電球を取り付けるようにしてもよい。このように変換アタッチメントを使用した場合においても、上記各実施形態と同様な作用効果が奏される。
【符号の説明】
【００４５】
１、１１…変換アタッチメント
２…取付部
２ａ…口金アタッチメント
２ｂ…口金
２ｃ…給電金具
２ｄ、４ｄ…ハトメ
３、１３…連結部
４…光源装着部
４ａ…口金アタッチメント
４ｂ…ソケット
４ｃ…接片
５、５ａ、５ｂ…ビニル絶縁電線
１３ａ…中空円筒部材
１３ｂ…回動部
１３ｃ…ピン
【図１】
2011108383.tif 000003
【図２】
2011108383.tif 000004
【図３】
2011108383.tif 000005
【図４】
2011108383.tif 000006
【図５】
2011108383.tif 000007
【図６】
2011108383.tif 000008
【図７】
2011108383.tif 000009
【図８】
2011108383.tif 000010
【図９】
2011108383.tif 000011